(57)【要約】      （修正有）【課題】表示装置の表示部を正面から見た際の表示画面の比率を高める。【解決手段】リモートコントローラ２を有する表示システムにおいて、表示装置（パーソナルコンピュータ１）は、表示部と、音をデジタル信号に変換するデジタルマイクと、デジタルマイクによって音から変換されたデジタル信号から、超音波の周波数帯域の超音波デジタル信号を分離する超音波分離部４１１と、超音波分離部４１１によって分離された超音波デジタル信号から、自装置に対するコードを復調する復調部４１２と、復調部によって復調されたコードを、自装置において実行中のアプリケーションに振り分けるコード振分部（コード受信部４１３）と、を備える。【選択図】図４
2020188411.tif 000002
【特許請求の範囲】
【請求項１】
表示部と、
音をデジタル信号に変換するデジタルマイクと、
前記デジタルマイクによって音から変換された前記デジタル信号から、超音波の周波数帯域の超音波デジタル信号を分離する超音波分離部と、
前記超音波分離部によって分離された前記超音波デジタル信号から、自装置に対するコードを復調する復調部と、
前記復調部によって復調された前記コードを、自装置において実行中のアプリケーションに振り分けるコード振分部と、
を備える表示装置。
【請求項２】
前記コード振分部は、前記復調部により復調される前記コードおよび自装置において実行中のアプリケーションに基づいて、受信した前記コードを、前記実行中のアプリケーション固有のコードに変換して、当該変換したコードを前記実行中のアプリケーションに振り分ける請求項１に記載の表示装置。
【請求項３】
超音波を発生させる超音波発生部と、
表示装置に対するコードを入力可能な入力部と、
前記入力部から入力される前記コードをデジタル符号化したデジタル信号を生成する符号化部と、
前記超音波発生部から発生する超音波を搬送波として、当該搬送波を、前記符号化部によって生成される前記デジタル信号に従って変調する変調部と、
を備えるリモートコントローラ。
【請求項４】
表示装置と、リモートコントローラと、を備える表示システムであって、
前記リモートコントローラは、
超音波を発生させる超音波発生部と、
前記表示装置に対するコードを入力可能な入力部と、
前記入力部から入力される前記コードをデジタル符号化したデジタル信号を生成する符号化部と、
前記超音波発生部から発生する超音波を搬送波として、当該搬送波を、前記符号化部によって生成される前記デジタル信号に従ってデジタル変調する変調部と、を備え、
前記表示装置は、
表示部と、
音をデジタル信号に変換するデジタルマイクと、
前記デジタルマイクによって前記音から変換された前記デジタル信号から、前記コードを復調する復調部と、
前記復調部によって復調された前記コードを、前記表示装置において実行中にアプリケーションに振り分けるコード振分部と、
を備える表示システム。
【請求項５】
コンピュータを、
表示装置が備えるデジタルマイクによって音から変換されたデジタル信号から、超音波の周波数帯域の超音波デジタル信号を分離する超音波分離部と、
前記超音波分離部によって分離された前記超音波デジタル信号から、前記表示装置に対するコードを復調する復調部と、
前記復調部によって復調された前記コードを、前記表示装置において実行中のアプリケーションに振り分けるコード振分部と、
として機能させるためのプログラム。
【発明の詳細な説明】
【技術分野】
【０００１】
本発明の実施形態は、表示装置、リモートコントローラ、表示システム、およびプログラムに関する。
【背景技術】
【０００２】
表示装置（例えば、パーソナルコンピュータ、特に、オールインワンデスクトップ）において、画面のみが正面から見えるような外観が好まれることが多い。
【先行技術文献】
【特許文献】
【０００３】
【特許文献１】特開２０１６−１９７８０１号公報
【発明の概要】
【発明が解決しようとする課題】
【０００４】
しかしながら、表示装置には、画面以外に正面に配置される機能要素として、Ｗｅｂカメラ、マイクロフォン、赤外線リモートコントローラの受光部、スピーカ等があり、表示装置の機能を減らさずに、これらの機能要素の数を減らすことで、表示装置の正面における画面の比率を上げることが求められている。
【課題を解決するための手段】
【０００５】
本発明の第１態様にかかる表示装置は、表示部と、音をデジタル信号に変換するデジタルマイクと、デジタルマイクによって音から変換されたデジタル信号から、超音波の周波数帯域の超音波デジタル信号を分離する超音波分離部と、超音波分離部によって分離された超音波デジタル信号から、自装置に対するコードを復調する復調部と、復調部によって復調されたコードを、自装置において実行中のアプリケーションに振り分けるコード振分部と、を備える。
【０００６】
本発明の第２態様にかかるリモートコントローラは、超音波を発生させる超音波発生部と、表示装置に対するコードを入力可能な入力部と、入力部から入力されるコードをデジタル符号化したデジタル信号を生成する符号化部と、超音波発生部から発生する超音波を搬送波として、当該搬送波を、符号化部によって生成される前記デジタル信号に従って変調する変調部と、を備える。
【０００７】
本発明の第３態様にかかる表示システムは、表示装置と、リモートコントローラと、を備える。リモートコントローラは、超音波を発生させる超音波発生部と、表示装置に対するコードを入力可能な入力部と、入力部から入力されるコードをデジタル符号化したデジタル信号を生成する符号化部と、超音波発生部から発生する超音波を搬送波として、当該搬送波を、符号化部によって生成されるデジタル信号に従ってデジタル変調する変調部と、を備える。表示装置は、表示部と、音をデジタル信号に変換するデジタルマイクと、デジタルマイクによって音から変換されたデジタル信号から、コードを復調する復調部と、復調部によって復調されたコードを、表示装置において実行中にアプリケーションに振り分けるコード振分部と、を備える。
【０００８】
本発明の第４態様にかかるプログラムは、コンピュータを、表示装置が備えるデジタルマイクによって音から変換されたデジタル信号から、超音波の周波数帯域の超音波デジタル信号を分離する超音波分離部と、超音波分離部によって分離された超音波デジタル信号から、表示装置に対するコードを復調する復調部と、復調部によって復調されたコードを、表示装置において実行中のアプリケーションに振り分けるコード振分部と、として機能させる。
【発明の効果】
【０００９】
本発明の上記第１態様によれば、表示装置の表示部を正面から見た際の表示画面の比率を高めることができる。
【００１０】
本発明の上記第２態様によれば、表示装置の表示部を正面から見た際の表示画面の比率を高めることができる。
【００１１】
本発明の上記第３態様によれば、表示装置の表示部を正面から見た際の表示画面の比率を高めることができる。
【００１２】
本発明の上記第４態様によれば、表示装置の表示部を正面から見た際の表示画面の比率を高めることができる。
【図面の簡単な説明】
【００１３】
【図１】図１は、本実施形態にかかる表示システムの概略構成の一例を示す図である。
【図２】図２は、本実施形態にかかるパーソナルコンピュータのハードウェア構成の一例を示すブロック図である。
【図３】図３は、本実施形態にかかるリモートコントローラのハードウェア構成の一例を示すブロック図である。
【図４】図４は、本実施形態にかかる表示システムが備えるパーソナルコンピュータおよびリモートコントローラの機能構成の一例を示すブロック図である。
【発明を実施するための形態】
【００１４】
以下、添付の図面を用いて、本実施形態にかかる表示装置、リモートコントローラ、表示システム、およびプログラムの一例について説明する。
【００１５】
図１は、本実施形態にかかる表示システムの概略構成の一例を示す図である。図１に示すように、本実施形態にかかる表示システムは、パーソナルコンピュータ１と、リモートコントローラ２と、を有する。
【００１６】
パーソナルコンピュータ１は、各種情報を表示可能な表示装置の一例であり、本実施形態では、所謂、オールインワンデスクトップである。
【００１７】
本実施形態では、パーソナルコンピュータ１は、図１に示すように、その正面に、表示部１０１、マイク１０２、およびカメラ１０３が設けられている。
【００１８】
表示部１０１は、ＬＣＤ（Liquid  Crystal  Display）等であり、各種情報を表示可能な画面である。
【００１９】
マイク１０２は、音声の録音やテレビ電話等の各種用途に使用されるマイクロフォンであり、音をデジタル信号に変換するデジタルマイクである。本実施形態では、マイク１０２は、パーソナルコンピュータ１の正面に設けられているが、これに限定するものではなく、パーソナルコンピュータ１の上部に設けられていても良い。
【００２０】
カメラ１０３は、表示部１０１の前方を撮像可能に設けられる撮像部の一例であり、テレビ電話等の各種用途に使用される。
【００２１】
リモートコントローラ２は、パーソナルコンピュータ１の操作（例えば、パーソナルコンピュータ１が有するテレビ機能やＤＶＤ機能の操作）に用いられる。本実施形態では、リモートコントローラ２は、図１に示すように、超音波発生部２０１を有し、当該超音波発生部２０１から超音波（非可聴領域の音）を発することによって、パーソナルコンピュータ１を操作可能である。
【００２２】
次に、図２を用いて、本実施形態にかかるパーソナルコンピュータ１のハードウェア構成の一例について説明する。図２は、本実施形態にかかるパーソナルコンピュータのハードウェア構成の一例を示すブロック図である。
【００２３】
本実施形態にかかるパーソナルコンピュータ１は、図２に示すように、表示部１０１、マイク１０２、カメラ１０３、ＳｏＣ（System  on  a  Chip）１０４、ＲＡＭ（Random  Access  Memory）１０５、ストレージ１０６、ネットワークインタフェース部１０７、および電源部１０８を有する。以下の説明では、表示部１０１、マイク１０２、およびカメラ１０３は、図１と同様であるため、その説明を省略する。
【００２４】
電源部１０８は、パーソナルコンピュータ１が備える各部へ電源を供給する。
【００２５】
ネットワークインタフェース部１０７は、インターネット等のネットワークを介した外部装置との通信を司る。
【００２６】
ストレージ１０６は、ＨＤＤ（Hard  Disk  Drive）やＳＳＤ（Solid  State  Drive）等の不揮発性の記憶媒体であり、ＯＳ（Operating  System）等の各種のソフトウェアプログラムを記憶する。
【００２７】
ＲＡＭ１０５は、ストレージ１０６に記憶される各種ソフトウェアプログラムを実行する際の作業領域として機能する。
【００２８】
ＳｏＣ１０４は、ＲＡＭ１０５を作業領域として、ストレージ１０６に記憶される各種のソフトウェアプログラムを実行して、パーソナルコンピュータ１全体を制御する。
【００２９】
次に、図３を用いて、本実施形態にかかるリモートコントローラ２のハードウェア構成の一例について説明する。図３は、本実施形態にかかるリモートコントローラのハードウェア構成の一例を示すブロック図である。
【００３０】
本実施形態にかかるリモートコントローラ２は、図３に示すように、超音波発生部２０１、ＣＰＵ２０２、ＲＡＭ２０３、ストレージ２０４、入力部２０５、および電源部２０６を有する。以下の説明では、超音波発生部２０１は、図１と同様であるため、その説明を省略する。
【００３１】
電源部２０６は、リモートコントローラ２が備える各部へ電源を供給する。
【００３２】
入力部２０５は、ボタン等、パーソナルコンピュータ１に対するコード（コマンド）を入力可能な入力部の一例である。
【００３３】
ストレージ２０４は、ＲＯＭ等の不揮発性の記憶媒体であり、各種のソフトウェアプログラムを記憶する。
【００３４】
ＲＡＭ２０３は、ストレージ２０４に記憶される各種ソフトウェアプログラムを実行する際の作業領域として機能する。
【００３５】
ＣＰＵ２０２は、ＲＡＭ２０３を作業領域として、ストレージ２０４に記憶される各種のソフトウェアプログラムを実行して、リモートコントローラ２全体を制御する。本実施形態では、ＣＰＵ２０２は、入力部２０５から入力されるコードをデジタル符号化したデジタル信号を生成し、超音波発生部２０１から発生される超音波を搬送波として、当該搬送波を、当該生成したデジタル信号に従ってデジタル変調する。これにより、ＣＰＵ２０２は、入力部２０５から入力されるコードを、パーソナルコンピュータ１に送信する。
【００３６】
次に、図４を用いて、本実施形態にかかる表示システムが備えるパーソナルコンピュータ１およびリモートコントローラ２の機能構成の一例について説明する。図４は、本実施形態にかかる表示システムが備えるパーソナルコンピュータおよびリモートコントローラの機能構成の一例を示すブロック図である。
【００３７】
まず、図４を用いて、本実施形態にかかるリモートコントローラ２の機能構成の一例について説明する。本実施形態では、ＣＰＵ２０２（プロセッサの一例）が、ＲＡＭ２０３を作業領域として、ストレージ２０４に記憶されるソフトウェアプログラムを読込んで実行することにより、入力受付部４０１、符号化部４０２、および変調部４０３を実現する。
【００３８】
入力受付部４０１は、入力部２０５から入力される、パーソナルコンピュータ１に対するコード（コマンド）を受け付ける。
【００３９】
符号化部４０２は、入力受付部４０１により受け付けたコード（すなわち、入力部２０５から入力されるコード）を、デジタル符号化したデジタル信号を生成する。
【００４０】
変調部４０３は、超音波発生部２０１から発生する超音波を搬送波として、当該搬送波を、符号化部４０２により生成されるデジタル信号に従ってデジタル変調する。
【００４１】
これにより、リモートコントローラ２を用いてパーソナルコンピュータ１を遠隔操作する場合に、赤外線を用いることなく、パーソナルコンピュータ１を操作可能となり、パーソナルコンピュータ１に赤外線の受光部を設ける必要が無くなる。その結果、パーソナルコンピュータ１の表示部１０１を正面から見た際の表示画面の比率を高めることができる。
【００４２】
また、パーソナルコンピュータ１に対するコードをデジタル符号化したデジタル信号に従って、超音波の搬送波をデジタル変調して、パーソナルコンピュータ１にコードを送信しているため、アナログ信号に従って超音波の搬送波を変調してパーソナルコンピュータ１にコードを送信する場合と比較して、リモートコントローラ２を用いたパーソナルコンピュータ１の遠隔操作の操作精度を向上させることができる。
【００４３】
本実施形態では、変調部４０３は、超音波発生部２０１から発生する超音波の搬送波を、符号化部４０２により生成されるデジタル信号に従って、予め設定された回数（例えば、３回）、連続して、デジタル変調する。これにより、パーソナルコンピュータ１に対するコードをデジタル符号化したデジタル信号を、複数回、パーソナルコンピュータ１に送信可能となる。その結果、パーソナルコンピュータ１に対するコードの送信処理が成功する確率を高めることができる。
【００４４】
次に、図４を用いて、本実施形態にかかるパーソナルコンピュータ１の機能構成の一例について説明する。本実施形態では、ＳｏＣ１０４がＲＡＭ１０５を作業領域として、ストレージ１０６に記憶されるソフトウェアプログラムを読込んで実行することにより、超音波分離部４１１、復調部４１２、およびコード受信部４１３を実現する。
【００４５】
本実施形態では、ＳｏＣ１０４（プロセッサの一例）によってソフトウェアプログラムを実行することにより、超音波分離部４１１、復調部４１２、およびコード受信部４１３を実現しているが、これに限定するものではなく、パーソナルコンピュータ１がＳｏＣ１０４とは別に有するＡＩチップ等に搭載されるプロセッサによって、ソフトウェアプログラムを実行することにより、超音波分離部４１１、復調部４１２、およびコード受信部４１３を実現することも可能である。
【００４６】
超音波分離部４１１は、マイク１０２によって音から変換されたデジタル信号を取得する。次いで、超音波分離部４１１は、取得したデジタル信号から、超音波の周波数帯域のデジタル信号（以下、超音波デジタル信号と言う）を分離するフィルタの一例である。
【００４７】
本実施形態では、超音波分離部４１１は、取得したデジタル信号から、パーソナルコンピュータ１自身から発せられる音や雑音等、可聴領域のデジタル信号以外のデジタル信号（非可聴領域のデジタル信号）を、超音波デジタル信号として分離する。
【００４８】
復調部４１２は、超音波分離部４１１によって分離された超音波デジタル信号から、パーソナルコンピュータ１自身（自装置）に対するコード（コマンド）を復調する。
【００４９】
これにより、リモートコントローラ２を用いてパーソナルコンピュータ１が遠隔操作される場合に、赤外線を用いることなく、パーソナルコンピュータ１を操作可能となり、パーソナルコンピュータ１に赤外線の受光部を設ける必要が無くなる。その結果、パーソナルコンピュータ１の表示部１０１を正面から見た際の表示画面の比率を高めることができる。
【００５０】
また、マイク１０２によって音から変換されたデジタル信号から分離された超音波デジタル信号からコードを復調しているため、アナログ信号から分離された超音波の信号からコードを復調する場合と比較して、リモートコントローラ２を用いたパーソナルコンピュータ１の遠隔操作の操作精度を向上させることができる。
【００５１】
コード受信部４１３は、復調部４１２により復調されたコードを、パーソナルコンピュータ１に対するコマンドとして受信し、当該コードを、パーソナルコンピュータ１において実行するアプリケーションに振り分けるコード振分部の一例である。
【００５２】
本実施形態では、コード受信部４１３は、復調部４１２により復調したコード、およびパーソナルコンピュータ１において実行するアプリケーションに基づいて、コードを、実行中のアプリケーション固有のコードに変換し、当該変換したコードを、実行中のアプリケーションに振り分ける。
【００５３】
これにより、複数のアプリケーションを実行可能なパーソナルコンピュータ１を、リモートコントローラ２から遠隔操作する場合に、ユーザが、コードを送信したいアプリケーションを指示する必要がなくなるので、リモートコントローラ２を利用したパーソナルコンピュータ１の遠隔操作の利便性を向上させることができる。
【００５４】
例えば、コード受信部４１３は、復調部４１２により復調したコードが「１」であり、かつ、パーソナルコンピュータ１において実行するアプリケーションが、テレビ番組を視聴可能なアプリケーションである場合、復調したコードである「１」を、チャンネル番号：「１」の番組への切り替えを指示するコードに変換して、実行中のアプリケーションに渡す。
【００５５】
また、例えば、コード受信部４１３は、復調部４１２により復調したコードが「１」であり、かつ、パーソナルコンピュータ１において実行するアプリケーションが、ＤＶＤやブルーレイを視聴可能なアプリケーションである場合、復調したコードである「１」を、チャプター番号が「１」のチャプターへの切り替えを指示するコードに変換して、実行中のアプリケーションに渡す。
【００５６】
また、本実施形態では、リモートコントローラ２からコードが予め設定された回数連続して送信される場合、コード受信部４１３は、リモートコントローラ２からのコードの受信に成功した場合には、その後に、送信されるコードを受信しないものとする。
【００５７】
このように、本実施形態にかかる表示システムによれば、リモートコントローラ２を用いてパーソナルコンピュータ１を遠隔操作する場合に、赤外線を用いることなく、パーソナルコンピュータ１を操作可能となり、パーソナルコンピュータ１に赤外線の受光部を設ける必要が無くなる。その結果、パーソナルコンピュータ１の表示部１０１を正面から見た際の表示画面の比率を高めることができる。
【００５８】
また、本実施形態にかかる表示システムによれば、パーソナルコンピュータ１に対するコードをデジタル符号化したデジタル信号に従って、超音波の搬送波をデジタル変調して、パーソナルコンピュータ１にコードを送信しているため、アナログ信号に従って超音波の搬送波を変調してパーソナルコンピュータ１にコードを送信する場合と比較して、リモートコントローラ２を用いたパーソナルコンピュータ１の遠隔操作の操作精度を向上させることができる。
【００５９】
また、本実施形態にかかる表示システムによれば、複数のアプリケーションを実行可能なパーソナルコンピュータ１を、リモートコントローラ２から遠隔操作する場合に、ユーザが、コードを送信したいアプリケーションを指示する必要がなくなるので、リモートコントローラ２を利用したパーソナルコンピュータ１の遠隔操作の利便性を向上させることができる。
【００６０】
なお、本実施形態のパーソナルコンピュータ１で実行されるソフトウェアプログラムは、ＲＯＭ等のストレージ１０６に予め組み込まれて提供されるが、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００６１】
さらに、本実施形態のパーソナルコンピュータ１で実行されるソフトウェアプログラムを、インターネット等のネットワークに接続されたコンピュータ上に格納し、ネットワーク経由でダウンロードさせることにより提供するように構成しても良い。また、本実施形態のパーソナルコンピュータ１で実行されるソフトウェアプログラムをインターネット等のネットワーク経由で提供または配布するように構成しても良い。
【００６２】
本実施形態のパーソナルコンピュータ１で実行されるソフトウェアプログラムは、上述した各部（超音波分離部４１１、復調部４１２、およびコード受信部４１３）を含むモジュール構成となっており、実際のハードウェアとしてはＳｏＣ１０４等のプロセッサが上記ＲＯＭからソフトウェアプログラムを読み出して実行することにより上記各部が主記憶装置上にロードされ、超音波分離部４１１、復調部４１２、およびコード受信部４１３が主記憶装置上に生成されるようになっている。
【符号の説明】
【００６３】
１  パーソナルコンピュータ
２  リモートコントローラ
１０１  表示部
１０２  マイク
１０４  ＳｏＣ
１０５，２０３  ＲＡＭ
１０６，２０４  ストレージ
２０１  超音波発生部
２０２  ＣＰＵ
４０１  入力受付部
４０２  符号化部
４０３  変調部
４１１  超音波分離部
４１２  復調部
４１３  コード受信部
【図１】
2020188411.tif 000003
【図２】
2020188411.tif 000004
【図３】
2020188411.tif 000005
【図４】
2020188411.tif 000006
【手続補正書】
【提出日】令和2年5月15日(2020.5.15)
【手続補正１】
【補正対象書類名】特許請求の範囲
【補正対象項目名】全文
【補正方法】変更
【補正の内容】
【特許請求の範囲】
【請求項１】
複数のアプリケーションを実行可能なパーソナルコンピュータの表示装置であって、
表示部と、
音をデジタル信号に変換するデジタルマイクと、
前記デジタルマイクによって音から変換された前記デジタル信号から、超音波の周波数帯域の超音波デジタル信号を分離する超音波分離部と、
前記超音波分離部によって分離された前記超音波デジタル信号から、自装置に対するコードを復調する復調部と、
前記復調部によって復調された前記コードおよび前記パーソナルコンピュータにおいて実行中の前記アプリケーションに基づいて、前記コードを、前記実行中のアプリケーション固有のコードに変換して、当該変換したコードを前記実行中のアプリケーションに振り分けるコード振分部と、
を備える表示装置。
【請求項２】
複数のアプリケーションを実行するパーソナルコンピュータの表示装置と、リモートコントローラと、を備える表示システムであって、
前記リモートコントローラは、
超音波を発生させる超音波発生部と、
前記表示装置に対するコードを入力可能な入力部と、
前記入力部から入力される前記コードをデジタル符号化したデジタル信号を生成する符号化部と、
前記超音波発生部から発生する超音波を搬送波として、当該搬送波を、前記符号化部によって生成される前記デジタル信号に従ってデジタル変調する変調部と、を備え、
前記表示装置は、
表示部と、
音をデジタル信号に変換するデジタルマイクと、
前記デジタルマイクによって前記音から変換された前記デジタル信号から、前記コードを復調する復調部と、
前記復調部によって復調された前記コードおよび前記パーソナルコンピュータにおいて実行中の前記アプリケーションに基づいて、前記コードを、前記実行中のアプリケーション固有のコードに変換して、当該変換したコードを前記実行中のアプリケーションに振り分けるコード振分部と、
を備える表示システム。
【請求項３】
コンピュータを、
複数のアプリケーションを実行するパーソナルコンピュータの表示装置が備えるデジタルマイクによって音から変換されたデジタル信号から、超音波の周波数帯域の超音波デジタル信号を分離する超音波分離部と、
前記超音波分離部によって分離された前記超音波デジタル信号から、前記表示装置に対するコードを復調する復調部と、
前記復調部によって復調された前記コードおよび前記パーソナルコンピュータにおいて実行中の前記アプリケーションに基づいて、前記コードを、前記実行中のアプリケーション固有のコードに変換して、当該変換したコードを前記実行中のアプリケーションに振り分けるコード振分部と、
として機能させるためのプログラム。
【手続補正３】
【補正対象書類名】明細書
【補正対象項目名】０００１
【補正方法】変更
【補正の内容】
【０００１】
本発明の実施形態は、表示装置、表示システム、およびプログラムに関する。
【手続補正４】
【補正対象書類名】明細書
【補正対象項目名】０００５
【補正方法】変更
【補正の内容】
【０００５】
本発明の第１態様にかかる表示装置は、複数のアプリケーションを実行可能なパーソナルコンピュータの表示装置であって、表示部と、音をデジタル信号に変換するデジタルマイクと、デジタルマイクによって音から変換されたデジタル信号から、超音波の周波数帯域の超音波デジタル信号を分離する超音波分離部と、超音波分離部によって分離された超音波デジタル信号から、自装置に対するコードを復調する復調部と、復調部によって復調されたコードおよびパーソナルコンピュータにおいて実行中のアプリケーションに基づいて、コードを、実行中のアプリケーション固有のコードに変換して、当該変換したコードを実行中のアプリケーションに振り分けるコード振分部と、を備える。
【手続補正５】
【補正対象書類名】明細書
【補正対象項目名】０００６
【補正方法】削除
【補正の内容】
【手続補正６】
【補正対象書類名】明細書
【補正対象項目名】０００７
【補正方法】変更
【補正の内容】
【０００７】
本発明の第３態様にかかる表示システムは、複数のアプリケーションを実行するパーソナルコンピュータの表示装置と、リモートコントローラと、を備える。リモートコントローラは、超音波を発生させる超音波発生部と、表示装置に対するコードを入力可能な入力部と、入力部から入力されるコードをデジタル符号化したデジタル信号を生成する符号化部と、超音波発生部から発生する超音波を搬送波として、当該搬送波を、符号化部によって生成されるデジタル信号に従ってデジタル変調する変調部と、を備える。表示装置は、表示部と、音をデジタル信号に変換するデジタルマイクと、デジタルマイクによって音から変換されたデジタル信号から、コードを復調する復調部と、復調部によって復調されたコードおよびパーソナルコンピュータにおいて実行中のアプリケーションに基づいて、コードを、実行中のアプリケーション固有のコードに変換して、当該変換したコードを実行中のアプリケーションに振り分けるコード振分部と、を備える。
【手続補正７】
【補正対象書類名】明細書
【補正対象項目名】０００８
【補正方法】変更
【補正の内容】
【０００８】
本発明の第４態様にかかるプログラムは、コンピュータを、複数のアプリケーションを実行するパーソナルコンピュータの表示装置が備えるデジタルマイクによって音から変換されたデジタル信号から、超音波の周波数帯域の超音波デジタル信号を分離する超音波分離部と、超音波分離部によって分離された超音波デジタル信号から、表示装置に対するコードを復調する復調部と、復調部によって復調されたコードおよびパーソナルコンピュータにおいて実行中のアプリケーションに基づいて、コードを、実行中のアプリケーション固有のコードに変換して、当該変換したコードを実行中のアプリケーションに振り分けるコード振分部と、として機能させる。